(57)【要約】【課題】音声通話装置に搭載された複数の無線通信装置の電源のＯＮ／ＯＦＦを効率的に切り替えることで、待ち受け時および着信時の省電力化およびそれに伴う待ち受け時間の延長を図る。【解決手段】ＰＨＳとＷＬＡＮとを搭載した携帯電話において、ＷＬＡＮが圏内であるか圏外であるかを問わず、ＰＨＳが圏内である限り待ち受けはＰＨＳにより行う。そして、ＰＨＳでの待ち受け中（ＰＨＳのみ電源ＯＮ）に着信があったときに、はじめてＷＬＡＮの電源をＯＮにし、ＷＬＡＮが圏内であれば一旦着信を切断して、ＷＬＡＮで折り返しＶｏＩＰ発信する（コールバック）。このときＰＨＳはＯＦＦにする。一方、着信時にＷＬＡＮの圏外であれば同様に着信を切断後、ＷＬＡＮをＯＦＦにして、ＰＨＳで折り返しＶｏＩＰ発信する。なお、コールバック先が特定できない場合は着信をそのままＰＨＳで受ける。【選択図】        図６
2006025009.tif 000002
【特許請求の範囲】
【請求項１】
第１の無線通信装置および第２の無線通信装置を備えた音声通話装置における音声通話方法であって、
前記第１の無線通信装置への着信を検知する検知工程と、
前記検知工程で前記着信が検知された場合に前記第２の無線通信装置に電力を供給する電力供給工程と、
前記電力供給工程で電力を供給された前記第２の無線通信装置による通信の可否を判定する判定工程と、
前記判定工程における判定結果に基づいて前記第１の通信装置および前記第２の通信装置のうちいずれか一つを選択する選択工程と、
前記検知工程で前記着信が検知された相手先へ前記選択工程で選択された前記第１の無線通信装置または前記第２の無線通信装置によりコールバックするコールバック工程と、
を含むことを特徴とする音声通話方法。
【請求項２】
さらに、前記選択工程で選択されなかった前記第１の無線通信装置または前記第２の無線通信装置への電力の供給を停止する電力停止工程を含むことを特徴とする前記請求項１に記載の音声通話方法。
【請求項３】
前記判定工程では、前記通信の可否をあらかじめ間欠的に取得されている前記第２の通信装置の圏内圏外情報に基づいて判定することを特徴とする前記請求項１または請求項２に記載の音声通話方法。
【請求項４】
前記圏内圏外情報が取得される時間間隔は、前記第１の通信装置による通信および前記第２の通信装置による通信がともに不可の場合は段階的に延長されることを特徴とする前記請求項３に記載の音声通話方法。
【請求項５】
第１の無線通信装置および第２の無線通信装置を備えた音声通話装置における音声通話プログラムであって、
前記第１の無線通信装置への着信を検知する検知工程と、
前記検知工程で前記着信が検知された場合に前記第２の無線通信装置に電力を供給する電力供給工程と、
前記電力供給工程で電力を供給された前記第２の無線通信装置による通信の可否を判定する判定工程と、
前記判定工程における判定結果に基づいて前記第１の通信装置および前記第２の通信装置のうちいずれか一つを選択する選択工程と、
前記検知工程で前記着信が検知された相手先へ前記選択工程で選択された前記第１の無線通信装置または前記第２の無線通信装置によりコールバックするコールバック工程と、
をプロセッサに実行させることを特徴とする音声通話プログラム。
【請求項６】
さらに、前記選択工程で選択されなかった前記第１の無線通信装置または前記第２の無線通信装置への電力の供給を停止する電力停止工程を含むことを特徴とする前記請求項５に記載の音声通話プログラム。
【請求項７】
前記判定工程では、前記通信の可否をあらかじめ間欠的に取得されている前記第２の通信装置の圏内圏外情報に基づいて判定することを特徴とする前記請求項５または請求項６に記載の音声通話プログラム。
【請求項８】
第１の無線通信装置および第２の無線通信装置を備えた音声通話装置であって、
前記第１の無線通信装置への着信を検知する検知手段と、
前記検知手段により前記着信が検知された場合に前記第２の無線通信装置に電力を供給する電力供給手段と、
前記電力供給手段により電力を供給された前記第２の無線通信装置による通信の可否を判定する判定手段と、
前記判定手段による判定結果に基づいて前記第１の通信装置および前記第２の通信装置のうちいずれか一つを選択する選択手段と、
前記検知手段により前記着信が検知された相手先へ前記選択手段により選択された前記第１の無線通信装置または前記第２の無線通信装置によりコールバックするコールバック手段と、
を備えることを特徴とする音声通話装置。
【請求項９】
さらに、前記選択手段により選択されなかった前記第１の無線通信装置または前記第２の無線通信装置への電力の供給を停止する電力停止手段を備えることを特徴とする前記請求項８に記載の音声通話装置。
【請求項１０】
前記判定手段は、前記通信の可否をあらかじめ間欠的に取得されている前記第２の通信装置の圏内圏外情報に基づいて判定することを特徴とする前記請求項８または請求項９に記載の音声通話装置。
【発明の詳細な説明】
【技術分野】
【０００１】
この発明は、複数の無線通信装置を備えた音声通話装置における音声通話方法、音声通話プログラムおよび音声通話装置に関する。
【背景技術】
【０００２】
公衆電話回線網の代わりにインターネットなどのＩＰ網を利用して格安で電話をかける、いわゆるＩＰ電話を携帯電話（ＰＨＳを含む）でも実現したいというニーズが高まってきている。ただ、携帯電話の公衆無線網は広範囲のエリアをカバーしてはいるものの、帯域が狭いという欠点がある。一方、たとえばＷＬＡＮ（無線ＬＡＮ）は帯域は広いものの、利用できるエリアが企業内や家庭内、公衆スポットなどに限定されてしまうという欠点がある。そこでこれらの欠点を相互に補うため、本出願人は世界に先駆けて、公衆無線網（具体的にはＰＨＳ）とＷＬＡＮの双方に対応する携帯電話型のＩＰ電話端末を開発した。
【０００３】
もっとも、このように複数の通信インターフェースを有する端末では、それらをシームレスに切り替えて音声通話を継続できるのでなければならない。そのために、上記端末ではＩＰ上の音声通話であるＶｏＩＰ（Ｖｏｉｃｅ  ｏｖｅｒ  ＩＰ）を利用する。すなわち、どのインターフェースを介した通信でもＩＰで接続し、ＶｏＩＰで通話する（なお、ＷＬＡＮでは通常ＩＰで接続されるため、ＶｏＩＰをそのまま利用できるが、ＰＨＳではまずＰＰＰによりＩＰ接続を行った上でＶｏＩＰを利用する必要がある）。これにより、下記特許文献１や特許文献２に記載のシームレスローミングを適用できる。
【０００４】
ただ、複数の通信インターフェースを有する端末ではそのそれぞれに電力を供給する必要があるため、消費電力が大きくなり（特にＷＬＡＮの消費電力は非常に大きい）、その分待ち受け時間が短くなってしまう。そこで、この種の端末における省電力化と待ち受け時間の延長を目的として、たとえば下記特許文献３に記載の発明のように、消費電力が相対的に最も小さい狭帯域波受信回路で待ち受けを行い、着信時に中帯域波受信回路または広帯域波受信回路を起動する（電力を供給する）ことが考えられている。
【０００５】
【特許文献１】特開２００３−３１９０１０号公報
【特許文献２】特開２００４−１２９０２４号公報
【特許文献３】特開２００２−１３５２０３号公報
【発明の開示】
【発明が解決しようとする課題】
【０００６】
しかしながら上記特許文献３に記載の従来技術においては、たとえばその第８実施例の図１３に示されているように、中帯域波や広帯域波で通話中も狭帯域受信回路には電力供給が継続されるため、その分電力を消費することのほか、通話中にもかかわらず狭帯域波で別の着信ができてしまい、制御が複雑になるという問題がある。また、狭帯域波の圏外では、たとえ中帯域波や広帯域波の圏内であっても電話を受けることができない。
【０００７】
この発明は、上述した従来技術による問題点を解消するため、音声通話装置に搭載された複数の無線通信装置の電源のＯＮ／ＯＦＦを効率的に切り替えることで、待ち受け時および着信時の省電力化およびそれに伴う待ち受け時間の延長を図ることが可能な音声通話方法、音声通話プログラム、および音声通話装置を提供することを目的とする。
【課題を解決するための手段】
【０００８】
上述した課題を解決し、目的を達成するため、この発明にかかる音声通話方法、音声通話プログラム、および音声通話装置は、第１の無線通信装置および第２の無線通信装置を備えた音声通話装置における音声通話方法、音声通話プログラムまたは音声通話装置であって、前記第１の無線通信装置への着信時に前記第２の無線通信装置に電力を供給して当該装置による通信の可否を判定するとともに、その判定結果に基づいて、いずれか一つの通信装置を選択して相手先へコールバックすることを特徴とする。
【０００９】
この発明によれば、第２の無線通信装置の電源は待ち受け時にはＯＦＦであり、着信時にはじめてＯＮとなる。
【００１０】
また、この発明にかかる音声通話方法、音声通話プログラム、および音声通話装置は、選択されなかった前記第１の無線通信装置または前記第２の無線通信装置への電力の供給を停止することを特徴とする。
【００１１】
この発明によれば、第２の無線通信装置の電源は待ち受け時にはＯＦＦであり、着信時には一時的にＯＮとなるものの、相手先へのコールバックに第２の無線通信装置が選択されない限り、着信直後に再びＯＦＦとなる。
【００１２】
また、この発明にかかる音声通話方法、音声通話プログラム、および音声通話装置は、前記通信の可否をあらかじめ間欠的に取得されている前記第２の通信装置の圏内圏外情報に基づいて判定することを特徴とする。
【００１３】
この発明によれば、着信時に第２の無線通信装置の電源をＯＮにする必要がない。
【００１４】
また、この発明にかかる音声通話方法は、前記第１の無線通信装置はＰＨＳインターフェースであり、前記第２の無線通信装置はＷＬＡＮインターフェースであることを特徴とする。
【００１５】
この発明によれば、ＰＨＳに比べて消費電力が相対的に大きいＷＬＡＮへの電力供給は極力抑制される。
【発明の効果】
【００１６】
本発明にかかる音声通話方法、音声通話プログラム、および音声通話装置によれば、音声通話装置に搭載された複数の無線通信装置の電源のＯＮ／ＯＦＦを効率的に切り替えることで、待ち受け時および着信時の省電力化およびそれに伴う待ち受け時間の延長を図ることができるという効果を奏する。
【発明を実施するための最良の形態】
【００１７】
以下に添付図面を参照して、この発明にかかる音声通話方法、音声通話プログラム、および音声通話装置の好適な実施の形態を詳細に説明する。
【００１８】
（実施の形態１）
図１は、この発明の実施の形態１にかかる音声通話装置の外観図（正面図、背面図、側面図、上面図）である。図示するように、本音声通話装置１００の外観および寸法は従来の携帯電話とほぼ同様である。ただし、本装置１００は、その上側背面にＣＦ型のＰＨＳカードを挿入するカードスロット１０１を備える。
【００１９】
また、図２は上記装置のハードウエア構成を示す説明図である。図中、２００は本装置内の各部に電力を供給する電源、２０１は装置全体の制御を司るＣＰＵ、２０２はプログラムやデータなどを記憶するメモリである。また、２０３は数字キーや十字キーなどの各種操作ボタン、２０４はメニューなどを表示する液晶ディスプレイ、２０５は音声を装置内部に入力するマイク、２０６は逆に音声を装置外部に出力するスピーカである。また、２０７は基地局との無線通信を制御するＰＨＳインターフェースである。そして、ここまでは従来の携帯電話と同様であるが、本装置はＰＨＳインターフェース２０７のほか、ＩＥＥＥ８０２．１１ｂなどによる無線通信を制御するＷＬＡＮインターフェース２０８もあわせて搭載した点が特徴となっている。
【００２０】
なお、ＰＨＳインターフェース２０７は具体的にはＣＦ型のＰＨＳカードであり、本装置のカードスロット（図１の１０１）に挿入されているものとする。したがって本装置のハードウエア構成としては、（１）ＰＨＳインターフェース２０７とＷＬＡＮインターフェース２０８の双方を具備する場合と、（２）ＷＬＡＮインターフェース２０８のみを具備する場合とが考えられるが、特に断らない限り以下では（１）の場合を考えることにする。
【００２１】
そしてこの（１）の場合、ＰＨＳとＷＬＡＮの切り替え時に通話が切断されてしまうという問題があるので、本装置は上述の従来技術を利用して、これらの間のシームレスローミングを実現している。一方、消費電力が大きい（待ち受け時間が短い）という問題については、待ち受けを基本的にＰＨＳで行うようにする、すなわちＰＨＳのみがＯＮ（電力が供給されている状態）でＷＬＡＮはできるだけＯＦＦ（電力が供給されていない状態）にすることで、待ち受け時の省電力化をはかっている。具体的には、ＷＬＡＮが圏内であるか圏外であるかを問わず、ＰＨＳが圏内である限り待ち受けはＰＨＳにより行い、ＰＨＳが圏外でかつＷＬＡＮが圏内である場合に限り、ＷＬＡＮによる待ち受けを行う。
【００２２】
図３および図４は、本装置がＰＨＳとＷＬＡＮのいずれで待ち受けを行うかを示す状態遷移図である。図３は、図中黒丸で示される初期状態（本装置への電源投入時）において本装置がＰＨＳの圏外にあった場合、図４は逆に圏内にあった場合である。図中「音声待ち受け」とはＰＨＳによる待ち受けを意味しており、本装置がこの状態にあるときはＰＨＳの電源はＯＮ、ＷＬＡＮの電源はＯＦＦである。また、図中「ＶｏＩＰ待ち受け」とはＷＬＡＮによる待ち受けを意味しており、本装置がこの状態にあるときはＰＨＳは原則としてＯＦＦ（厳密には間欠受信を行うので定期的にＯＮ）、ＷＬＡＮはＯＮである。なお、図中「待機中」とはＰＨＳでもＷＬＡＮでも着信できないが、ＰＨＳで待ち受けだけはしている状態である。
【００２３】
そして着信があった時点で、本装置は相手先との接続方法（ＰＨＳを使うのかＷＬＡＮを使うのかなど）を選択し、選択した方法で相手先に接続するが、本発明の特徴はこの部分にあるので、以下ではこの機能を中心に説明する。
【００２４】
図５は、この発明の実施の形態１にかかる音声通話装置の構成を機能的に示す説明図である。図中、５００は発着信制御部であり、発信時や着信時の本装置の動作を制御する機能部である。上記動作は基本的に従来技術の携帯電話と同様であるが、本発明に特徴的なものとしては、ＰＨＳの着信直後に呼を切断したり、後述する相手先検索部５０４から通知されたＩＰ電話番号へ、ＰＨＳまたはＷＬＡＮによりコールバックしたりする処理がある。なお、この発着信制御部５００は図２に示したＣＰＵ２０１により実現される。
【００２５】
５０１はＰＨＳ通信部であり、基地局との無線通信を制御する機能部である。５０２はＷＬＡＮ通信部であり、ＩＥＥＥ８０２．１１ｂなどによる無線通信を制御する機能部である。なお、ＰＨＳ通信部５０１は図２に示したＰＨＳインターフェース２０７により、ＷＬＡＮ通信部５０２はＷＬＡＮインターフェース２０８により、それぞれ実現される。
【００２６】
５０３は相手先ＤＢ（データベース）であり、通話の相手先についてその（１）電話網上の識別情報である電話番号（固定電話や携帯電話などの電話番号）と、（２）ＩＰ網上の識別情報である電話番号（具体的には「０５０−ＸＸＸＸ−ＸＸＸＸ」やＳＩＰアドレスなど）とを対応づけて保持する機能部である。なお、この相手先ＤＢ５０３は図２に示したメモリ２０２により実現される。
【００２７】
なお、以下では説明の便宜上、上記（１）（２）は物理的に同一の電話機の識別情報であるものとするが、必ずしもそうでなければならないわけではなく、たとえばある相手先について、電話機１の電話番号と電話機２のＩＰ電話番号とを対応づけて保持しておくことも可能である。ただし後述のように、本発明にかかる音声通話装置は（１）の電話番号から着信があると、それは切断して折り返し（２）のＩＰ電話番号へコールバックするので、電話機１および２が物理的に近くにないと、実際問題として相手先ではコールバックを受けることができない。
【００２８】
５０４は相手先検索部であり、発着信制御部５００から通知された相手先の電話番号（発信元電話番号）に対応するＩＰ電話番号を、相手先ＤＢ５０３から検索する機能部である。なお、この相手先検索部５０４は図２に示したＣＰＵ２０１により実現される。
【００２９】
５０５はＰＨＳ／ＷＬＡＮ選択部であり、ＰＨＳ通信部５０１あるいはＷＬＡＮ通信部５０２を制御して、ＰＨＳまたはＷＬＡＮのいずれでコールバックするかを選択する機能部である。なお、このＰＨＳ／ＷＬＡＮ選択部５０５は図２に示したＣＰＵ２０１により実現される。
【００３０】
５０６は電力供給部であり、ＰＨＳ通信部５０１やＷＬＡＮ通信部５０２へその動作に必要な電力を供給する機能部である。５０７は電力供給制御部であり、ＰＨＳ通信部５０１やＷＬＡＮ通信部５０２に指示して、電力供給部５０６からの電力供給を受けるか受けないかを切り替えさせる（電源のＯＮ／ＯＦＦを切り替えさせる）機能部である。なお、電力供給部５０６は図２に示した電源２００により、電力供給制御部５０７はＣＰＵ２０１により、それぞれ実現される。
【００３１】
次に、図６はこの発明の実施の形態１にかかる音声通話装置において、音声待ち受け中（ＰＨＳによる待ち受け中）に着信があった場合の音声通話の手順を示すフローチャートである。
【００３２】
図中ステップＳ６０１の時点では、ＰＨＳのみがＯＮ（ＷＬＡＮはＯＦＦ）の状態である。そしてこの状態で発着信制御部５００が、ＰＨＳ通信部５０１から着信を通知されると（ステップＳ６０２：Ｙｅｓ）、発着信制御部５００から発信元電話番号の通知を受けた相手先検索部５０４が、まず相手先ＤＢ５０３から上記番号に対応するＩＰ電話番号を検索する（ステップＳ６０３）。
【００３３】
そしてＩＰ電話番号が検索できた場合（コールバック先となるＩＰ電話番号が特定できた場合、と言ってもよい。ステップＳ６０４：Ｙｅｓ）、相手先検索部５０４は検索成功の旨と、検索されたＩＰ電話番号とを発着信制御部５００に通知する。次にこれを受けた発着信制御部５００では、着信音の出力など通常の着信動作を行った後、本装置のユーザが電話に出る前（相手先に通話料金が発生する前）に、ＰＨＳ通信部５０１に指示して呼を切断させる（ステップＳ６０５）。
【００３４】
次に、発着信制御部５００はＰＨＳ／ＷＬＡＮ選択部５０５に指示して、ＰＨＳまたはＷＬＡＮのいずれで相手先にコールバックするかを選択させる。すなわち、これを受けたＰＨＳ／ＷＬＡＮ選択部５０５はまず電力供給制御部５０７に対して、ＷＬＡＮに電力を供給するよう指示し、電力供給制御部５０７から出力された電源ＯＮの信号を受けて、ＷＬＡＮ通信部５０２が電源ＯＮの状態となる（ステップＳ６０６）。したがって、このステップＳ６０６の時点ではＰＨＳとＷＬＡＮのいずれもがＯＮ（いずれも動作可能な状態）となる。
【００３５】
次にＰＨＳ／ＷＬＡＮ選択部５０５は、上記で起動されたＷＬＡＮ通信部５０２を制御してＷＬＡＮの圏内／圏外を判定し（ステップＳ６０７）、もし圏内であれば（ステップＳ６０８：Ｙｅｓ）、ＷＬＡＮでコールバックすべき旨を発着信制御部５００へ通知するとともに、電力供給制御部５０７に対して、ＰＨＳへの電力供給を停止するよう指示する。そして、電力供給制御部５０７から出力された電源ＯＦＦの信号を受けて、ＰＨＳ通信部５０１が電源ＯＦＦの状態となる（ステップＳ６０９）。したがって、このステップＳ６０９の時点ではＷＬＡＮのみがＯＮの状態となる。
【００３６】
一方、発着信制御部５００はＷＬＡＮ通信部５０２を制御して、ステップＳ６０４で検索されたＩＰ電話番号へＶｏＩＰによりコールバックを行う（ステップＳ６１０）。そして、相手先が電話に出た後はＶｏＩＰによる音声通話を行い（ステップＳ６１１）、切断時（ステップＳ６１２）にはその旨をＰＨＳ／ＷＬＡＮ選択部５０５に通知する。これを受けたＰＨＳ／ＷＬＡＮ選択部５０５は、その時点でＰＨＳの圏外となっていなければ、電力供給制御部５０７に対してＯＦＦになっているＰＨＳをＯＮ、ＯＮになっているＷＬＡＮをＯＦＦにするよう指示する。そして電力供給制御部５０７から出力された信号を受けて、ＰＨＳ通信部５０１が電源ＯＮ、ＷＬＡＮ通信部５０２が電源ＯＦＦの状態となった後（ステップＳ６１３）、ステップＳ６０１に戻って音声待ち受けを継続する。
【００３７】
上記に対して、ＷＬＡＮが圏外であった場合は（ステップＳ６０８：Ｎｏ）、ＰＨＳ／ＷＬＡＮ選択部５０５はＰＨＳでコールバックすべき旨を発着信制御部５００へ通知するとともに、電力供給制御部５０７に対して、ＷＬＡＮへの電力供給を停止するよう指示する。そして、電力供給制御部５０７から出力された電源ＯＦＦの信号を受けて、ＷＬＡＮ通信部５０２が電源ＯＦＦの状態となる（ステップＳ６１４）。したがって、このステップＳ６１４の時点では待ち受け時と同様、再びＰＨＳのみがＯＮの状態となる。
【００３８】
一方、発着信制御部５００はＰＨＳ通信部５０１を制御して、ステップＳ６０４で検索されたＩＰ電話番号へＰＰＰおよびＶｏＩＰによりコールバックを行う（ステップＳ６１５）。そして、相手先が電話に出た後はＶｏＩＰによる音声通話を行い（ステップＳ６１６）、切断時（ステップＳ６１７）にはその旨がＰＨＳ／ＷＬＡＮ選択部５０５に通知され、その時点でＰＨＳの圏外となっていなければ、ステップＳ６０１に戻って音声待ち受けが継続される。
【００３９】
上記に対して、相手先ＤＢ５０３からＩＰ電話番号が検索できなかった場合（ステップＳ６０４：Ｎｏ）は、コールバック先が特定できないので、ＰＨＳにかかってきた電話をそのままＰＨＳで受ける。すなわち、相手先検索部５０４から検索失敗の旨を通知された発着信制御部５００は通常の着信動作を行い（ステップＳ６１８）、本装置のユーザが電話に出た後は通常のＰＨＳ通話（ステップＳ６１９）を行って、切断時（ステップＳ６２０）にはその旨をＰＨＳ／ＷＬＡＮ選択部５０５に通知する。そして、その時点でＰＨＳの圏外となっていなければ、ステップＳ６０１に戻って音声待ち受けが継続される。
【００４０】
一方、図７はこの発明の実施の形態１にかかる音声通話装置において、ＶｏＩＰ待ち受け中（ＷＬＡＮによる待ち受け中）に着信があった場合の音声通話の手順を示すフローチャートである。
【００４１】
図中ステップＳ７０１の時点では、ＷＬＡＮのみがＯＮ（ＰＨＳはＯＦＦ）の状態である。そしてこの状態で発着信制御部５００が、ＷＬＡＮ通信部５０２から着信を通知されると（ステップＳ７０２：Ｙｅｓ）、発着信制御部５００はそのまま通常の着信動作を行い（ステップＳ７０３）、本装置のユーザが電話に出た後はＷＬＡＮによるＶｏＩＰ通話を行って（ステップＳ７０４）、切断後（ステップＳ７０５）はステップＳ７０１のＶｏＩＰ待ち受けを継続する。
【００４２】
図６および図７をまとめると、まず（１）ＰＨＳが使える場所（ＰＨＳ圏内）ではＷＬＡＮが使えるか否かにかかわらずもっぱらＰＨＳで待ち受けを行い、ＰＨＳに着信があると、（１−１）電話をかけてきた相手先のＩＰ電話番号が分かりかつＷＬＡＮが使える場合はＷＬＡＮでコールバック、（１−２）ＩＰ電話番号は分かるがＷＬＡＮが使えない場合はＰＨＳでコールバック、（１−３）そもそもＩＰ電話番号が分からない場合は着信した電話をそのまま受ける、という３パターンになる。
【００４３】
一方、（２）ＰＨＳは使えないもののＷＬＡＮだけでも使える場所ではもっぱらＷＬＡＮで待ち受けを行い、ＷＬＡＮに着信があると、（２−１）そのままＷＬＡＮで電話を受けることになる。これはたとえばＷＬＡＮのみを搭載したＰＣによる、通常のＶｏＩＰ通話と同様であり、その間ＰＨＳがＯＮになることは原則としてない（間欠受信時を除く）。
【００４４】
以上説明した実施の形態１によれば、ＷＬＡＮがＯＮとなるのは、（１−１）の場合は着信直後から通話終了までの間（ステップＳ６０６〜Ｓ６１３）、（１−２）の場合は着信直後の一瞬のみ（ステップＳ６０６〜Ｓ６０８およびステップＳ６１４）であり、（１−３）の場合は終始ＯＦＦである。また、（２−１）の場合は終始ＯＮ（ステップＳ７０１〜Ｓ７０５）であるが、ＰＨＳが使えずＷＬＡＮのみが使える場所は比較的稀のため、実際にはあまり長時間にはならないと考えられる。このように、本装置は消費電力の大きいＷＬＡＮへの電力供給をできる限り抑制するので、これにより省電力化および待ち受け時間の延長がはかられる。
【００４５】
（実施の形態２）
さて、上述した実施の形態１では、ＷＬＡＮがＯＮとなるタイミングはおよそ上記の通りであるが、厳密には上記（１）（２）のほか（３）ＰＨＳもＷＬＡＮも使えない場所が存在する。そしてこの（３）の場合、ＰＨＳやＷＬＡＮが圏内になればただちに音声待ち受けやＶｏＩＰ待ち受けに移行する目的で、本装置は一定の待機時間経過ごとにＰＨＳおよびＷＬＡＮの圏内／圏外判定を行っている。ただ、この判定のためにも電力が消費されてしまうので、以下で説明する実施の形態２のように、少なくともＰＨＳもＷＬＡＮも圏外と分かっているときはＷＬＡＮの待機時間だけでも延長する（ＷＬＡＮをあまり頻繁に立ち上げないようにする）ことで、省電力化を図るようにしてもよい。
【００４６】
この発明の実施の形態２にかかる音声通話装置のハードウエア構成は、図２に示した実施の形態１のそれと同様である。図８は、実施の形態２にかかる上記装置の構成を機能的に示す説明図である。図５に示した実施の形態１のそれとの差異は、新たに圏内／圏外判定部８０８を備えた点である。図示する各部の機能のうち、実施の形態１と異なる点については、すぐ以下に述べるフローチャート中で順次説明する。
【００４７】
図９は、この発明の実施の形態２にかかる音声通話装置における、ＷＬＡＮの待機時間の変更処理の手順を示すフローチャートである。実施の形態２にかかる圏内／圏外判定部８０８は、あらかじめ保持しているＰＨＳ待機時間８０８ａが経過するごとにＰＨＳの圏内／圏外判定を、またＷＬＡＮ待機時間８０８ｂが経過するごとにＷＬＡＮの圏内／圏外判定を、それぞれ行って、その結果をそれぞれＰＨＳ判定結果８０８ｃあるいはＷＬＡＮ判定結果８０８ｄとして保持している。なおかつ、圏内／圏外判定部８０８はＰＨＳの圏内／圏外判定時に、ＷＬＡＮ待機時間８０８ｂを図９の手順により変更している。
【００４８】
すなわち、ＰＨＳ待機時間８０８ａで示される所定時間が経過するごとに、圏内／圏外判定部８０８はＰＨＳ通信部８０１を制御して、ＰＨＳの圏内／圏外判定を行う（ステップＳ９０１。なお、ＰＨＳがＯＦＦになっているときは判定に先立って、電力供給制御部８０７に指示して電力を供給させるのは言うまでもない）。そしてＰＨＳが圏外だった場合（ステップＳ９０２：Ｎｏ）、圏内／圏外判定部８０８は次にＷＬＡＮ通信部８０２を制御して、ＷＬＡＮの圏内／圏外判定を行う（ステップＳ９０３。なお、ＷＬＡＮがＯＦＦになっているときは判定に先立って、電力供給制御部８０７に指示して電力を供給させるのは言うまでもない）。
【００４９】
そしてＷＬＡＮも圏外だった場合は（ステップＳ９０４：Ｎｏ）、圏内／圏外判定部８０８はあらかじめ保持しているＷＬＡＮ待機時間８０８ｂに所定時間を加算することで、当該待機時間を延長する（ステップＳ９０５）。一方、ＷＬＡＮが圏内だった場合は（ステップＳ９０４：Ｙｅｓ）、前回までの本フローチャートによる処理で延長された（可能性のある）ＷＬＡＮ待機時間８０８ｂを初期値にリセットする（ステップＳ９０６）。また、ＰＨＳが圏内だった場合も（ステップＳ９０２：Ｙｅｓ）、同様にＷＬＡＮ待機時間８０８ｂをリセットする（ステップＳ９０６）。そして、ＰＨＳ待機時間８０８ａで示される時間だけ待機（ステップＳ９０７）した後、ステップＳ９０１に戻って上述の処理を繰り返す。
【００５０】
以上説明した実施の形態２によれば、定期的に実行されるＰＨＳの圏内／圏外判定のタイミングで、ＰＨＳもＷＬＡＮも圏外であればＷＬＡＮの待機時間が段階的に延長されてゆく（ＷＬＡＮの起動間隔が段階的に拡大してゆく）ので、その分ＷＬＡＮに電力の供給される機会が減少し、消費電力の抑制を図ることができる。
【００５１】
なお、ＰＨＳ待機時間８０８ａやＷＬＡＮ待機時間８０８ｂの経過ごとに間欠的に取得され、圏内／圏外判定部８０８に保持されるＰＨＳ判定結果８０８ｃおよびＷＬＡＮ判定結果８０８ｄ（以下ではこれらを「圏内圏外情報」と総称する）は、たとえば図６のステップＳ６０７における、着信時のＷＬＡＮの圏内／圏外判定に利用することができる。すなわち当該判定において、ＰＨＳ／ＷＬＡＮ選択部８０５は逐一ＷＬＡＮ通信部８０２に問い合わせることなく、圏内／圏外判定部８０８内の直近の圏内圏外情報を参照することで、高速にＰＨＳとＷＬＡＮのいずれでコールバックするかを選択できる。
【００５２】
なお、上述した実施の形態１および２では、ＰＨＳもＷＬＡＮも利用可能な場合はＷＬＡＮでコールバックするようにしたが、これは通常、費用面ではＷＬＡＮのほうがＰＨＳよりも有利なためである（通話料が事実上かからない）。もっとも、たとえばできるだけバッテリを節約したい（待ち受け時間を長くしたい）場合には、たとえ通話料がかかるとしても、ＰＨＳの使える場所ではＰＨＳを使いたいとユーザが考えることもある。このように、何をコストと考えるかはユーザやその時々の状況によって変化するため、ＰＨＳもＷＬＡＮも利用可能な場合はいずれを利用するかを、あらかじめ初期設定としてユーザに選択させたり、あるいはコールバック時にユーザが個々に選択できるようにしてもよい。
【００５３】
また、上述した実施の形態１および２では、着信した電話をいったん切ってコールバックするか（コールバック方式。図６ステップＳ６０８〜Ｓ６１７）、あるいはその電話にそのまま出るか（直接接続方式。図６ステップＳ６１８〜Ｓ６２０）を、コールバック先のＩＰ電話番号が特定できるかどうかによって振り分けたが、コールバック先は分かっていてもそのまま電話を取りたい場合もあるので、着信時にユーザがいずれかの方式を選択できるようにしてもよい。
【００５４】
また、上述した実施の形態１および２では、ＰＨＳやＷＬＡＮをシームレスに切り替えての音声通話が本装置のみで実現でき、本装置以外の追加的な設備や既存の設備の改修などを必要としない。もっとも、既存のＳＩＰサーバなどを改修して本装置と組み合わせることで、より高度で使いやすいシステムを構築することが可能なのは言うまでもない。たとえば本装置に電話をかけた側から見ると、毎回毎回ワンコール程度で切断された直後に折り返し電話がかかってくる（場合によっては、発信に使ったのとは別の電話機に着信する）ことになるが、しくみを知らないとやや不自然な流れである。そこで経路上のＳＩＰサーバで、相手先がかけてきた電話を切らずに待たせておき、本装置からのコールバックと接続することで、相手先に違和感を覚えさせることなくコールバックを実現できる。
【００５５】
なお、図１０〜図２０は相手先との間にＳＩＰサーバを介した場合の本装置の状態遷移図である。まず、図１０はＷＬＡＮ圏内での音声待ち受け中（ＰＨＳのみＯＮ）に電話がかかってきた場合の状態遷移図であり、このケースでは上述のように、ＷＬＡＮのみをＯＮにしてＶｏＩＰでコールバックを行う。図１１および図１２は、同じくＷＬＡＮ圏内での音声待ち受け中に本装置から電話をかける場合の状態遷移図であり、そのかけ方としては、図１１のようにＷＬＡＮのみＯＮにしてＶｏＩＰ発信する方式と、図１２のようにＰＨＳのみＯＮのまま音声発信する方式（ＰＨＳで普通に電話をかけるのと同じかけ方）とがある。
【００５６】
なお、上述した実施の形態１および２では、ＷＬＡＮ圏内であってもＰＨＳ圏内であればもっぱらＰＨＳで待ち受けを行うようにしたが、バッテリの節約を考慮しないのであれば、ＰＨＳの圏内／圏外にかかわらずＷＬＡＮ圏内でＷＬＡＮによる待ち受けを行うことはもちろん可能である。図１３は、ＷＬＡＮ圏内でのＶｏＩＰ待ち受け中（ＷＬＡＮのみＯＮ）に、本装置に電話がかかってきた場合の状態遷移図、図１４は逆に本装置から電話をかける場合の状態遷移図である。図示する遷移は、たとえばＷＬＡＮのみを搭載したＰＣにおいてＩＰ電話を受けたりかけたりするときの遷移とほぼ同様であるが、ＷＬＡＮが使えなくなったときにはＰＨＳへ切り替えて通話を継続できる点が特長となっている。なお、図１３および図１４ではＷＬＡＮのみが終始ＯＮとなる。
【００５７】
一方、ＷＬＡＮ圏外では本装置は一律に音声待ち受け（ＰＨＳのみＯＮ）を行う。図１５は、ＷＬＡＮ圏外での音声待ち受け中に電話がかかってきた場合の状態遷移図であり、図示する遷移は従来技術のＰＨＳにおいて着信があったときの遷移と同様である。ただし、同じくＷＬＡＮ圏外での音声待ち受け中に電話をかける場合については、図１６のようにＶｏＩＰ発信する場合と、図１７のように音声発信する場合とがある。なお、図１５・図１６・図１７では終始ＰＨＳはＯＮ、ＷＬＡＮはＯＦＦである。
【００５８】
なお、上記では本装置にＰＨＳとＷＬＡＮの双方が具備されていることを前提としたが、上述のようにＰＨＳインターフェース２０７はスロットから着脱可能であるので、実際にはＷＬＡＮしか具備しない構成もありうる。そして図１８は、本装置がＷＬＡＮしか備えておらず、かつＷＬＡＮ圏内でＶｏＩＰ待ち受け中に電話がかかってきた場合の状態遷移図、図１９は逆に電話をかける場合の状態遷移図である。図示する遷移は、たとえばＷＬＡＮのみを搭載したＰＣにおいてＩＰ電話を受けたりかけたりするときの遷移と同様である。また、図２０は本装置がＷＬＡＮしか備えておらず、かつＷＬＡＮ圏外でＶｏＩＰ待ち受けをしている場合の状態遷移図であり、この場合は発着信ともに不可能であるものの、定期的にＷＬＡＮをＯＮにして圏内／圏外判定だけを行う。
【００５９】
なお、本発明にかかる音声通話装置の用途としては、従来の携帯電話と同様に電話を発着信することのほか、たとえば簡易的な会議システムなどが考えられる。具体的には、複数の端末をＷＬＡＮでアドホックに接続するとともに、いずれかの端末がサーバ（その他の端末はクライアント）となって、ＰＨＳで外部ネットワークに接続する。なお、このサーバにおいてエコーキャンセルなどの処理を行うようにしてもよい。また、このほかＰＣやプリンタなどの情報機器を制御するためのユビキタスリモコンとして、本装置を利用することも考えられる。
【００６０】
なお、上述した実施の形態１および２で説明した音声通話方法は、あらかじめ用意されたプログラムをプロセッサで実行することにより実現される。このプログラムはメモリ２０２のほか、ハードディスク、フレキシブルディスク、ＣＤ−ＲＯＭ、ＭＯ、ＤＶＤ等のコンピュータで読み取り可能な記録媒体に記録され、プロセッサによって記録媒体から読み出されることによって実行される。またこのプログラムは、インターネット等のネットワークを介して配布することが可能な伝送媒体であってもよい。
【００６１】
（付記１）第１の無線通信装置および第２の無線通信装置を備えた音声通話装置における音声通話方法であって、
前記第１の無線通信装置への着信を検知する検知工程と、
前記検知工程で前記着信が検知された場合に前記第２の無線通信装置に電力を供給する電力供給工程と、
前記電力供給工程で電力を供給された前記第２の無線通信装置による通信の可否を判定する判定工程と、
前記判定工程における判定結果に基づいて前記第１の通信装置および前記第２の通信装置のうちいずれか一つを選択する選択工程と、
前記検知工程で前記着信が検知された相手先へ前記選択工程で選択された前記第１の無線通信装置または前記第２の無線通信装置によりコールバックするコールバック工程と、
を含むことを特徴とする音声通話方法。
【００６２】
（付記２）さらに、前記選択工程で選択されなかった前記第１の無線通信装置または前記第２の無線通信装置への電力の供給を停止する電力停止工程を含むことを特徴とする前記付記１に記載の音声通話方法。
【００６３】
（付記３）さらに、前記検知工程で前記着信が検知された相手先についてそのコールバック先を特定する特定工程を含み、
前記電力供給工程では、前記検知工程で前記着信が検知されかつ前記特定工程で前記コールバック先が特定できた場合に前記第２の無線通信装置に電力を供給するとともに、
前記コールバック工程では、前記検知工程で前記着信が検知された相手先の前記特定工程で特定された前記コールバック先へ前記選択工程で選択された前記第１の無線通信装置または前記第２の無線通信装置によりコールバックすることを特徴とする前記付記１または付記２に記載の音声通話方法。
【００６４】
（付記４）前記選択工程では、前記判定工程で前記通信が可能と判定された場合は前記第２の通信装置を選択することを特徴とする前記付記１〜付記３のいずれか一つに記載の音声通話方法。
【００６５】
（付記５）前記判定工程では、前記通信の可否をあらかじめ間欠的に取得されている前記第２の通信装置の圏内圏外情報に基づいて判定することを特徴とする前記付記１〜付記４のいずれか一つに記載の音声通話方法。
【００６６】
（付記６）前記圏内圏外情報が取得される時間間隔は、前記第１の通信装置による通信および前記第２の通信装置による通信がともに不可の場合は段階的に延長されることを特徴とする前記付記５に記載の音声通話方法。
【００６７】
（付記７）第１の無線通信装置および第２の無線通信装置を備えた音声通話装置における音声通話プログラムであって、
前記第１の無線通信装置への着信を検知する検知工程と、
前記検知工程で前記着信が検知された場合に前記第２の無線通信装置に電力を供給する電力供給工程と、
前記電力供給工程で電力を供給された前記第２の無線通信装置による通信の可否を判定する判定工程と、
前記判定工程における判定結果に基づいて前記第１の通信装置および前記第２の通信装置のうちいずれか一つを選択する選択工程と、
前記検知工程で前記着信が検知された相手先へ前記選択工程で選択された前記第１の無線通信装置または前記第２の無線通信装置によりコールバックするコールバック工程と、
をプロセッサに実行させることを特徴とする音声通話プログラム。
【００６８】
（付記８）さらに、前記選択工程で選択されなかった前記第１の無線通信装置または前記第２の無線通信装置への電力の供給を停止する電力停止工程を含むことを特徴とする前記付記７に記載の音声通話プログラム。
【００６９】
（付記９）さらに、前記検知工程で前記着信が検知された相手先についてそのコールバック先を特定する特定工程を含み、
前記電力供給工程では、前記検知工程で前記着信が検知されかつ前記特定工程で前記コールバック先が特定できた場合に前記第２の無線通信装置に電力を供給するとともに、
前記コールバック工程では、前記検知工程で前記着信が検知された相手先の前記特定工程で特定された前記コールバック先へ前記選択工程で選択された前記第１の無線通信装置または前記第２の無線通信装置によりコールバックすることを特徴とする前記付記７または付記８に記載の音声通話プログラム。
【００７０】
（付記１０）前記選択工程では、前記判定工程で前記通信が可能と判定された場合は前記第２の通信装置を選択することを特徴とする前記付記７〜付記９のいずれか一つに記載の音声通話プログラム。
【００７１】
（付記１１）前記判定工程では、前記通信の可否をあらかじめ間欠的に取得されている前記第２の通信装置の圏内圏外情報に基づいて判定することを特徴とする前記付記７〜付記１０のいずれか一つに記載の音声通話プログラム。
【００７２】
（付記１２）前記圏内圏外情報が取得される時間間隔は、前記第１の通信装置による通信および前記第２の通信装置による通信がともに不可の場合は段階的に延長されることを特徴とする前記付記１１に記載の音声通話プログラム。
【００７３】
（付記１３）第１の無線通信装置および第２の無線通信装置を備えた音声通話装置であって、
前記第１の無線通信装置への着信を検知する検知手段と、
前記検知手段により前記着信が検知された場合に前記第２の無線通信装置に電力を供給する電力供給手段と、
前記電力供給手段により電力を供給された前記第２の無線通信装置による通信の可否を判定する判定手段と、
前記判定手段による判定結果に基づいて前記第１の通信装置および前記第２の通信装置のうちいずれか一つを選択する選択手段と、
前記検知手段により前記着信が検知された相手先へ前記選択手段により選択された前記第１の無線通信装置または前記第２の無線通信装置によりコールバックするコールバック手段と、
を備えることを特徴とする音声通話装置。
【００７４】
（付記１４）さらに、前記選択手段により選択されなかった前記第１の無線通信装置または前記第２の無線通信装置への電力の供給を停止する電力停止手段を備えることを特徴とする前記付記１３に記載の音声通話装置。
【００７５】
（付記１５）さらに、前記検知手段により前記着信が検知された相手先についてそのコールバック先を特定する特定手段を備え、
前記電力供給手段は、前記検知手段により前記着信が検知されかつ前記特定手段により前記コールバック先が特定できた場合に前記第２の無線通信装置に電力を供給するとともに、
前記コールバック手段は、前記検知手段により前記着信が検知された相手先の前記特定手段により特定された前記コールバック先へ前記選択手段により選択された前記第１の無線通信装置または前記第２の無線通信装置によりコールバックすることを特徴とする前記付記１３または付記１４に記載の音声通話装置。
【００７６】
（付記１６）前記選択手段は、前記判定手段により前記通信が可能と判定された場合は前記第２の通信装置を選択することを特徴とする前記付記１３〜付記１５のいずれか一つに記載の音声通話装置。
【００７７】
（付記１７）前記判定手段は、前記通信の可否をあらかじめ間欠的に取得されている前記第２の通信装置の圏内圏外情報に基づいて判定することを特徴とする前記付記１３〜付記１６のいずれか一つに記載の音声通話装置。
【００７８】
（付記１８）前記圏内圏外情報が取得される時間間隔は、前記第１の通信装置による通信および前記第２の通信装置による通信がともに不可の場合は段階的に延長されることを特徴とする前記付記１７に記載の音声通話装置。
【産業上の利用可能性】
【００７９】
以上のように、本発明にかかる音声通話方法、音声通話プログラム、および音声通話装置は、複数の無線通信装置を搭載した音声通話装置における省電力化およびそれに伴う待ち受け時間の延長の目的に有用であり、特に上記装置の中に、ＷＬＡＮのように消費電力が大きくかつ使用頻度の比較的少ない装置が含まれている場合に適している。
【図面の簡単な説明】
【００８０】
【図１】この発明の実施の形態１にかかる音声通話装置の外観図である。
【図２】この発明の実施の形態１にかかる音声通話装置のハードウエア構成を示す説明図である。
【図３】この発明の実施の形態１にかかる音声通話装置の状態遷移図である（初期状態でＰＨＳ圏外だった場合）。
【図４】この発明の実施の形態１にかかる音声通話装置の状態遷移図である（初期状態でＰＨＳ圏内だった場合）。
【図５】この発明の実施の形態１にかかる音声通話装置の構成を機能的に示す説明図である。
【図６】この発明の実施の形態１にかかる音声通話装置において、音声待ち受け中（ＰＨＳによる待ち受け中）に着信があった場合の音声通話の手順を示すフローチャートである。
【図７】この発明の実施の形態１にかかる音声通話装置において、ＶｏＩＰ待ち受け中（ＷＬＡＮによる待ち受け中）に着信があった場合の音声通話の手順を示すフローチャートである。
【図８】この発明の実施の形態２にかかる音声通話装置の構成を機能的に示す説明図である。
【図９】この発明の実施の形態２にかかる音声通話装置における、ＷＬＡＮの待機時間の変更処理の手順を示すフローチャートである。
【図１０】ＷＬＡＮ圏内での音声待ち受け中における本装置の状態遷移の一例を示す説明図である（本装置に着信があった場合）。
【図１１】ＷＬＡＮ圏内での音声待ち受け中における本装置の状態遷移の一例を示す説明図である（本装置からＶｏＩＰ発信する場合）。
【図１２】ＷＬＡＮ圏内での音声待ち受け中における本装置の状態遷移の一例を示す説明図である（本装置から音声発信する場合）。
【図１３】ＷＬＡＮ圏内でのＶｏＩＰ待ち受け中における本装置の状態遷移の一例を示す説明図である（本装置に着信があった場合）。
【図１４】ＷＬＡＮ圏内でのＶｏＩＰ待ち受け中における本装置の状態遷移の一例を示す説明図である（本装置からＶｏＩＰ発信する場合）。
【図１５】ＷＬＡＮ圏外での音声待ち受け中における本装置の状態遷移の一例を示す説明図である（本装置に着信があった場合）。
【図１６】ＷＬＡＮ圏外での音声待ち受け中における本装置の状態遷移の一例を示す説明図である（本装置からＶｏＩＰ発信する場合）。
【図１７】ＷＬＡＮ圏外での音声待ち受け中における本装置の状態遷移の一例を示す説明図である（本装置から音声発信する場合）。
【図１８】ＷＬＡＮ圏内でのＶｏＩＰ待ち受け中における本装置の状態遷移の一例を示す説明図である（本装置に着信があった場合）。
【図１９】ＷＬＡＮ圏内でのＶｏＩＰ待ち受け中における本装置の状態遷移の一例を示す説明図である（本装置からＶｏＩＰ発信する場合）。
【図２０】ＷＬＡＮ圏外でのＶｏＩＰ待ち受け中における本装置の状態遷移の一例を示す説明図である。
【符号の説明】
【００８１】
１００  音声通話装置
１０１  カードスロット
２００  電源
２０１  ＣＰＵ
２０２  メモリ
２０３  操作ボタン
２０４  液晶ディスプレイ
２０５  マイク
２０６  スピーカ
２０７  ＰＨＳインターフェース
２０８  ＷＬＡＮインターフェース
５００，８００  発着信制御部
５０１，８０１  ＰＨＳ通信部
５０２，８０２  ＷＬＡＮ通信部
５０３，８０３  相手先ＤＢ
５０４，８０４  相手先検索部
５０５，８０５  ＰＨＳ／ＷＬＡＮ選択部
５０６，８０６  電力供給部
５０７，８０７  電力供給制御部
８０８  圏内／圏外判定部
８０８ａ  ＰＨＳ待機時間
８０８ｂ  ＷＬＡＮ待機時間
８０８ｃ  ＰＨＳ判定結果
８０８ｄ  ＷＬＡＮ判定結果
【図１】
2006025009.tif 000003
【図２】
2006025009.tif 000004
【図３】
2006025009.tif 000005
【図４】
2006025009.tif 000006
【図５】
2006025009.tif 000007
【図６】
2006025009.tif 000008
【図７】
2006025009.tif 000009
【図８】
2006025009.tif 000010
【図９】
2006025009.tif 000011
【図１０】
2006025009.tif 000012
【図１１】
2006025009.tif 000013
【図１２】
2006025009.tif 000014
【図１３】
2006025009.tif 000015
【図１４】
2006025009.tif 000016
【図１５】
2006025009.tif 000017
【図１６】
2006025009.tif 000018
【図１７】
2006025009.tif 000019
【図１８】
2006025009.tif 000020
【図１９】
2006025009.tif 000021
【図２０】
2006025009.tif 000022